(57)【特許請求の範囲】
【請求項１】
検知エリア内に物体の存在を検知すると自動ドアを開くための作動信号を送信する検知
センサを起動させる自動ドアの開錠装置であって、
前記検知センサの検知エリア内まで移動する遮蔽板と、
前記遮蔽板を支持し、前記遮蔽板を移動するための駆動機構を有する本体部と、
前記自動ドアの開錠を指示する開錠指示信号を受信すると、前記駆動機構に前記遮蔽板
を移動するよう指示する制御部と
を備えることを特徴とする自動ドアの開錠装置。
【請求項２】
前記自動ドアの開錠装置は、
無線通信機能を有し、
前記開錠指示信号は無線により送信されることを特徴とする請求項１に記載の自動ドア
の開錠装置。
【請求項３】
請求項１又は請求項２に記載の自動ドアの開錠装置と、
認証情報及び前記自動ドアの開錠装置の開錠指示信号を送信するユーザ端末と、
前記自動ドアの開錠装置を操作可能なユーザの認証情報が登録されているデータベース
と、
前記ユーザ端末から送信される認証情報が前記データベースに登録されているかを認証
する認証部と、前記認証部で認証された場合に、前記ユーザ端末に対し、前記自動ドアの
開錠装置の操作を許可する操作許可部とを有する管理装置と
を備えることを特徴とする自動ドアの開錠システム。
【請求項４】
前記データベースには、前記自動ドアの開錠装置を操作可能な時間帯が前記認証情報に
関連づけて登録され、
前記認証部は、前記認証情報を受信した受信日時に操作可能な前記自動ドアの開錠装置
があるかを認証することを特徴とする請求項３に記載の自動ドアの開錠システム。
【請求項５】
前記自動ドアの操作予約を受付ける予約受付部と、
前記予約受付部で受付けられた前記自動ドアを操作する時間帯を、前記自動ドアの開錠
装置を操作可能な時間帯として前記認証情報に関連付けて、前記データベースに登録する
データベース更新部と
を備えることを特徴とする請求項４に記載の自動ドアの開錠システム。
【請求項６】
エントランス入口に自動ドアが設けられた建築物の部屋の一時利用を管理する一時利用
管理システムであって、
請求項１又は請求項２に記載の自動ドアの開錠装置と、
前記建築物の部屋の扉に設けられ、開錠指示信号を受信すると前記扉を開錠する電子錠
と、
認証情報と、前記自動ドアの開錠装置及び前記電子錠の開錠指示信号を送信するユーザ
端末と、
前記自動ドアの開錠装置及び前記電子錠を操作可能なユーザの記認証情報が登録されて
いるデータベースと、
前記ユーザ端末から送信される認証情報が前記データベースに登録されているかを認証
する認証部と、前記認証部で認証された場合に、前記ユーザ端末に対し、前記自動ドアの
開錠装置及び前記電子錠の操作を許可する操作許可部とを有する管理装置と
を備えることを特徴とする一時利用管理システム。
【請求項７】
前記データベースには、前記自動ドアの開錠装置及び前記電子錠を操作可能な時間帯が
前記認証情報に関連づけて登録され、
前記認証部は、前記開錠指示信号を受信した受信日時が、前記データベースに登録され
ている前記操作可能な時間帯の範囲内であるかを認証することを特徴とする請求項６に記
載の一時利用管理システム。
【請求項８】
前記部屋の一時利用の予約を受付ける予約受付部と、
前記予約受付部で受付けられた前記部屋を一時利用する時間帯を、前記自動ドアの開錠
装置及び前記電子錠を操作可能な時間帯として、前記認証情報に関連付けて前記データベ
ースに登録するデータベース更新部と
を備えることを特徴とする請求項７に記載の一時利用管理システム。
【発明の詳細な説明】
【技術分野】
【０００１】
本発明は、遠隔操作により自動ドアを開く自動ドアの開錠装置、自動ドアの開錠システム及び一時利用管理システムに関し、具体的には、建築物のエントランス入口に設けられた自動ドアを開くための自動ドアの開錠装置、自動ドアの開錠システム、及びこれら自動ドアの開錠装置、自動ドアの開錠システムを利用した一時利用管理システムに関する。
【背景技術】
【０００２】
近年、遠隔操作により扉を自動で施錠又は開錠できる錠開閉システムのニーズが高まっている。例えば、賃貸物件を借りる場合、見込み客を実際に室内に案内するいわゆる内覧が行われる。内覧を行うためには物件の家主等から鍵を借り受ける必要があり手続きが非常に煩わしいという問題がある。
【０００３】
しかしながら、鍵を複製したり、物件近く（例えば、キーボックス内、ポスト内や機械室内）に鍵を隠したりしておくことはセキュリティ上好ましくない。また、オフィスにおいても、複数の従業員が出入りする場合、従業員の人数分だけ鍵を複製したり、オフィス近くに鍵を隠しておくことはセキュリティ上好ましくない。
【０００４】
さらに、近年では、部屋を貸す人と借りる人とをマッチングさせるサービスが提供されている。該サービスでは、業者を介することなく個人間で部屋を貸し借りすることができ、例えば、自宅を留守にする間、他人に貸し出すといったことが可能となる。しかしながら、この場合も、留守の間に他人に自宅の鍵を貸し出すことは、鍵を複製される虞がありセキュリティ上からも好ましくない。また、貸し出すたびに鍵を交換することは費用や手間の点からも好ましくない。
【０００５】
また、年、月、週、日等の期限付きで使用される施設場所、例えば月決めまたは年決めの賃貸住宅、マンスリー（またはウィークリー）マンション、貸し店舗、貸し別荘、貸し会議室等においても、鍵を借り受ける場合、手続きが非常に煩わしいという問題がある。また、受付を設けて人を配置すると人件費が嵩むため無人化したいという要望がある。
【０００６】
そこで、従来のシステムには、鍵紛失の心配がなく、セキュリティが確保され、予約または使用の変さらに柔軟に対応して一時使用目的居室の使用を管理するために、一時使用目的居室の扉を解錠／旋錠する電子錠と、識別情報が付加され、使用する人により入力された予約および解錠の要求を、通信回線を介して管理装置に送信し、上記管理装置からの上記予約および解錠の要求に対する返答を受信する携帯情報端末と、上記一時使用目的居室の使用に係わる上記携帯情報端末の識別情報および解錠パスワードを含んだ登録予約が記憶される登録予約テーブル、上記予約の申込と上記登録予約とに基づいて上記一時使用目的居室の使用の可否を判断し、可と判断したとき上記登録予約を上記予約に従って更新するとともに上記解錠パスワードを含んだ返答を上記申込に用いられた上記携帯情報端末に送信する予約管理手段および上記携帯情報端末から上記解錠の要求がなされたとき、該携帯情報端末の識別情報と上記解除の要求に付加された解錠パスワードとが上記登録予約と同一の場合、上記電子錠に解錠を指令する電子錠制御手段を有する上記管理装置と、を有する一時使用目的居室管理システムが提案されている。
【特許文献１】特開２００６−１４４２６４号公報
【発明の開示】
【発明が解決しようとする課題】
【０００７】
しかしながら、マンションやアパート、ビル等の建築物においては、セキュリティのためにエントランス入口に設けられた自動ドアを外側から自動で開くことが出来ないことがある。このようなマンションやアパート、ビル等の建築物内の一室を一時利用する場合、内部の管理者に自動ドアを開けてもらうように頼むなど、非常に不便であるという問題がある。
【０００８】
本発明は、上記課題の解決のためになされたものであり、マンションやアパート、ビル等の建築物のエントランス入口に設けられた自動ドアを遠隔操作により開くことができる自動ドアの開錠装置、自動ドアの開錠システム及びこれら自動ドアの開錠装置、自動ドアの開錠システムを利用した一時利用管理システムを提供することを目的とする。
【課題を解決するための手段】
【０００９】
上記の課題を解決すべく、本発明に係る自動ドアの開錠装置は、検知エリア内に物体の存在を検知すると自動ドアを開くための作動信号を送信する検知センサを起動させる（反応させる）自動ドアの開錠装置であって、前記検知センサの検知エリア内まで移動する遮蔽板と、前記遮蔽板を支持し、前記遮蔽板を移動するための駆動機構を有する本体部と、前記自動ドアの開錠を指示する開錠指示信号を受信すると、前記駆動機構に前記遮蔽板を移動するよう指示する制御部とを備えることを特徴とする。
【００１０】
上記構成によれば、検知エリア内に物体の存在を検知すると自動ドアを開くための作動信号を送信する検知センサの検知エリア内まで移動する遮蔽板を備え、自動ドアの開錠を指示する開錠指示信号を受信すると、駆動機構により遮蔽板を移動するように構成したので、マンションやアパート、ビル等の建築物のエントランス入口に設けられ、セキュリティのために外側から開くことのできない自動ドアを外側から開くことができる。このため、マンションやアパート、ビル等の建築物内の部屋を一時利用（例えば、会議室、社宅、民泊、内覧（内見）等による一時利用）する際にユーザの利便性が非常に高い。また、マンションやアパート、ビル等の建築物のメンテナンス（例えば、掃除、設備の補修等）の際に業者が建築物内に入る際にも利用することができるため利便性が高い。
【００１１】
また、本発明に係る自動ドアの開錠装置は、無線通信機能を有し、前記開錠指示信号は無線により送信されることを特徴とする。
【００１２】
上記構成によれば、無線により自動ドアを開くことができるので、ＬＡＮケーブル等を接続する必要がなく、自動ドアの開錠装置を自動ドアの検知センサの近くに両面テープによる接着やネジ止めにより設置するだけでよい。このため、施工性に優れる。また、バッテリ駆動とすれば、さらに電源用ケーブルが不要となるため、さらに施工性が向上する。
【００１３】
また、本発明に係る自動ドアの開錠システムは、上記記載の自動ドアの開錠装置と、認証情報及び前記自動ドアの開錠装置の開錠指示信号を送信するユーザ端末と、前記自動ドアの開錠装置を操作可能なユーザの認証情報が登録されているデータベースと、前記ユーザ端末から送信される認証情報が前記データベースに登録されているかを認証する認証部と、前記認証部で認証された場合に、前記ユーザ端末に対し、前記自動ドアの開錠装置の操作を許可する操作許可部とを有する管理装置とを備えることを特徴とする。
【００１４】
上記構成によれば、自動ドアの開錠装置１００を操作できるユーザＵを認証し、認証されたユーザＵにのみ自動ドアの開錠装置１００の操作を許可するので、マンションやアパート、ビル等の建築物内の部屋の一時利用者（例えば、会議室、社宅、民泊、内覧（内見）等による一時利用）や、建築物のメンテナンス（例えば、掃除、設備の補修等）業者にのみ自動ドアの開錠装置１００の操作を許可することができセキュリティ性が向上する。
【００１５】
また、本発明に係る自動ドアの開錠システムの前記データベースには、前記自動ドアの開錠装置を操作可能な時間帯が前記認証情報に関連づけて登録され、前記認証部は、前記認証情報を受信した受信日時に操作可能な前記自動ドアの開錠装置があるかを認証することを特徴とする。
【００１６】
上記構成によれば、自動ドアの開錠装置を操作できるユーザを認証することに加え、自動ドアの開錠装置を操作できる時間帯についても認証するようにしたので、マンションやアパート、ビル等の建築物内の部屋を一時利用（例えば、会議室、社宅、民泊、内覧（内見）等による一時利用）する時間帯や、建築物のメンテナンス（例えば、掃除、設備の補修等）の時間帯にのみ自動ドアの開錠装置の操作を許可することでセキュリティ性がさらに向上する。
【００１７】
また、本発明に係る自動ドアの開錠システムは、前記自動ドアの操作予約を受付ける予約受付部と、前記予約受付部で受付けられた前記自動ドアを操作する時間帯を、前記自動ドアの開錠装置を操作可能な時間帯として前記認証情報に関連付けて、前記データベースに登録するデータベース更新部とを備えることを特徴とする。
【００１８】
上記構成によれば、自動ドアの開錠装置を操作できる時間帯を予約できるようにしたので、マンションやアパート、ビル等の建築物内の部屋を一時利用（例えば、会議室、社宅、民泊、内覧（内見）等による一時利用）する時間帯や建築物のメンテナンス（例えば、掃除、設備の補修等）の時間帯を予約しておき、実際に使用する際に自動ドアの開錠装置を操作することができるのでユーザの利便性がさらに向上する。
【００１９】
また、本発明に係る一時利用管理システムは、エントランス入口に自動ドアが設けられた建築物の部屋の一時利用を管理する一時利用管理システムであって、上記記載の自動ドアの開錠装置と、前記建築物の部屋の扉に設けられ、開錠指示信号を受信すると前記扉を開錠する電子錠と、認証情報と、前記自動ドアの開錠装置及び前記電子錠の開錠指示信号を送信するユーザ端末と、前記自動ドアの開錠装置及び前記電子錠を操作可能なユーザの認証情報が登録されているデータベースと、前記ユーザ端末から送信される認証情報が前記データベースに登録されているかを認証する認証部と、前記認証部で認証された場合に、前記ユーザ端末に対し、前記自動ドアの開錠装置及び前記電子錠の操作を許可する操作許可部とを有する管理装置とを備えることを特徴とする。
【００２０】
上記構成によれば、エントランス入口に自動ドアが設けられた建築物の部屋を一時利用する際に、エントランス入口の自動ドア及び一時利用する部屋の扉をユーザ端末から開錠することができるので利便性が高い。また、認証されたユーザにのみ自動ドアの開錠装置及び電子錠の操作を許可しているのでセキュリティ性が高い。さらに、鍵を受け渡しする必要性がないためユーザの利便性がさらに向上するとともに、鍵を複製される虞もないためセキュリティ性がさらに向上する。
【００２１】
また、本発明に係る一時利用管理システムの前記データベースには、前記自動ドアの開錠装置及び前記電子錠を操作可能な時間帯が前記認証情報に関連づけて登録され、前記認証部は、前記認証情報を受信した受信日時に操作可能な前記自動ドアの開錠装置及び前記電子錠があるかを認証することを特徴とする。
【００２２】
上記構成によれば、自動ドアの開錠装置及び電子錠を操作できるユーザを認証することに加え、自動ドアの開錠装置及び電子錠を操作できる時間帯についても認証するようにしたので、マンションやアパート、ビル等の建築物内の部屋を一時利用（例えば、会議室、社宅、民泊、内覧（内見）等による一時利用）する時間帯や、建築物のメンテナンス（例えば、掃除、設備の補修等）の時間帯にのみ自動ドアの開錠装置及び電子錠の操作を許可することでセキュリティ性がさらに向上する。
【００２３】
また、本発明に係る一時利用管理システムは、前記部屋の一時利用の予約を受付ける予約受付部と、前記予約受付部で受付けられた前記部屋を一時利用する時間帯を、前記自動ドアの開錠装置及び前記電子錠を操作可能な時間帯として、前記認証情報に関連付けて前記データベースに登録するデータベース更新部とを備えることを特徴とする。
【００２４】
上記構成によれば、自動ドアの開錠装置及び電子錠を操作できる時間帯を予約できるようにしたので、マンションやアパート、ビル等の建築物内の部屋を一時利用（例えば、会議室、社宅、民泊、内覧（内見）等による一時利用）する時間帯や建築物のメンテナンス（例えば、掃除、設備の補修等）の時間帯を予約しておき、実際に使用する際に自動ドアの開錠装置及び電子錠を操作することができるのでユーザの利便性がさらに向上する。また、部屋の一時利用の予約を行うと、受付けた利用時間帯において自動ドアの開錠装置に対しても操作を許可する。このため、部屋の一時利用を行うだけで、エントランス入口の自動ドアの開錠装置及び電子錠の両方を操作することができるようになり、エントランス入口の自動ドアの開錠装置と、電子錠との予約を別々に行う必要がないためユーザの利便性がさらに向上する。
【発明の効果】
【００２５】
以上説明したように、本発明によれば、マンションやアパート、ビル等の建築物のエントランス入口に設けられた自動ドアを遠隔操作により開くことができる自動ドアの開錠装置、自動ドアの開錠システム及び一時利用管理システムを提供することができる。
【図面の簡単な説明】
【００２６】
【図１】本実施形態に係る一時利用管理システムの構成図である。
【図２】建築物のエントランスの構成図である。
【図３】本実施形態に係る自動ドアの構成図である。
【図４】本実施形態に係る自動ドアの開錠装置の外観図及び機能構成図である。
【図５】本実施形態に係る自動ドアの開錠装置の動作を示す図である。
【図６】本実施形態に係る自動ドアの開錠装置の動作の他の例を示す図である。
【図７】本実施形態に係る電子錠の使用状態を示す図である。
【図８】本実施形態に係る管理装置（サーバ）の構成図である。
【図９】本実施形態に係るユーザ端末の構成図である。
【図１０】本実施形態に係る一時利用管理システムのアカウント作成の手順を示すフローチャートである。
【図１１】本実施形態に係る一時利用管理システムの予約時の動作を示すフローチャートである。
【図１２】本実施形態に係る一時利用管理システムの開錠時の動作を示すフローチャートである。
【発明を実施するための形態】
【００２７】
以下、図面を参照して本発明の実施の形態を説明する。
【００２８】
（実施形態）
図１は、本実施形態に係る一時利用管理システムの構成図である。本実施形態に係る一時利用管理システムは、エントランス入口に自動ドアが設けられた建築物内の部屋の一時利用を管理するためのシステムである。図１に示すように、本実施形態に係る一時利用管理システムは、エントランス入口の自動ドア１の近くに設置された自動ドアの開錠装置１００と、建築物内の部屋の扉Ｄ（の室内側）に設けられた電子錠２００と、管理装置（サーバ）３００と、ユーザ端末４００とを備えている。自動ドアの開錠装置１００、電子錠２００、管理装置（サーバ）３００及びユーザ端末４００は、WifiやBluetooth（登録商標）等の無線ＬＡＮや有線ＬＡＮ及び公衆回線等のネットワーク５００により互いに接続され、データ通信が可能となっている。
【００２９】
図２に示すように、自動ドアの開錠装置１００は、マンションやアパート、ビル等の建築物（以下、建築物と記載する）のエントランス入口に設けられた自動ドア１の検知センサ１２の近傍に設置される。ここで、本実施形態に係る建築物は、セキュリティのために自動ドア１の内側にのみ自動ドア１を開くための検知センサ１２が設けられ、自動ドア１の外側には、呼出機２（インターホン等）が設置されており、通常、外来者は、該呼出機２を使って建築物の住人や管理人等を呼び出して自動ドア１を開けてもらう仕組みとなっている。
【００３０】
これに対して、本実施形態に係る一時利用管理システムでは、自動ドアの開錠装置１００をエントランス入口の検知センサ１２の近くに設置し、自動ドア１の開錠を指示する開錠指示信号を無線受信すると、遮蔽板１１０を自動ドア１の検知センサ１２の検知エリアＡ内にまで移動させて検知センサ１２を反応させ、自動ドア１を開錠する。つまりマンションやアパート、ビル等の建築物のエントランス入口に設けられ、セキュリティのために外側から開くことのできない自動ドア１を外側から開くことができるシステムである。
【００３１】
（自動ドア１の構成）
図３は、本実施形態に係る自動ドアの構成図である。図３に示すように、一般的に、自動ドア１は、ドアオペレータ１１、検知センサ１２、ランマ１３、無目１４、ドア１５、フィックス１６、ガイドレール１７等で構成される。
【００３２】
ドアオペレータ１１は、ドアを開閉動作させる駆動装置、制御装置一式のことであり、ドアエンジン、コントローラ、従動プーリ、ドアハンガー、ストッパー、ベルトなどで構成され無目１４内に収容される。検知センサ１２は、検知エリアＡ内（破線内）に物体（例えば、人物）の存在を検知すると、自動ドア１を開くための作動信号を送信する。なお、検知センサ１２が物体を検知する方式として、例えば、赤外線の反射により物体を検知する光線反射方式、マイクロ波の反射により物体を検知する電磁方式、超音波の反射により物体を検知する超音波方式等があるが、これら方式は一例であり、他の方式により物体（人物）を検知するようにしても構わない。本実施形態では、図３に示すように、検知センサ１２は、ドア１５近傍の天井に設けられているが無目１４に設けられる場合もある。
【００３３】
ランマ１３は、建築物の天井と無目１４の間にガラスなどをはめ込んで構成され、天井と無目１４との隙間を埋める。無目１４は、ドアオペレータ１１などを納めるための筐体である。ドア１５は、強化ガラス等で構成されることが一般的である。なお、本実施形態では、ドア１５は、引き戸となっているが、他にも観音開き、回転ドア等種々の開閉方式があり、本実施形態に適用することができる。
【００３４】
フィックス１６は、開閉しない固定された建具である。ガイドレール１７は、ドア１５の軌道を構成する部材であり、ドア１５は、このガイドレール１７に沿って開閉する。また、図３に示すように、本実施形態に係る自動ドアの開錠装置１００は、自動ドア１の検知センサ１２の検知エリアＡに隣接した位置に設置される。
【００３５】
（自動ドアの開錠装置１００）
図４は、本実施形態に係る自動ドアの開錠装置の外観図及び機能構成図である。図４（ａ）は、自動ドアの開錠装置１００の外観図である。図４（ｂ）は、自動ドアの開錠装置１００の機能構成図である。自動ドアの開錠装置１００は、遮蔽板１１０と、駆動機構１２０と、送受信部１３０と、制御部１４０と、本体部１５０とを備える。また、自動ドアの開錠装置１００は、図示しないバッテリを内蔵し、バッテリ駆動となっている。
【００３６】
遮蔽板１１０は、駆動機構１３０により位置Ｐ１から位置Ｐ２まで回転駆動され（図４（ａ）参照）、検知センサ１２の検知エリアＡ内まで移動する。遮蔽板１１０が検知センサ１２の検知エリアＡ内まで移動することで、検知センサ１２が反応（検知エリアＡ内に物体（例えば、人物）の存在を検知）して、自動ドア１を開くための作動信号が送信され、ドアオペレータ１１により自動ドア１のドア１５が開かれる。なお、遮蔽板１１０は、位置Ｐ１から位置Ｐ２まで回転駆動された後、逆向きに回転駆動され位置Ｐ１まで戻る。
【００３７】
駆動機構１２０は、モータ等を備え、制御部１４０からの指示により、遮蔽板１１０を回転駆動し、検知センサ１２の検知エリアＡ内まで移動させる。送受信部１３０は、無線通信用アンテナを含み管理装置３００から送信される開錠指示信号を受信する。制御部１４０は、送受信部１３０が受信する開錠指示信号に基づいて駆動機構１２０に遮蔽板１１０を移動するよう指示する。本体部１５０は、駆動機構１２０、送受信部１３０、制御部１４０等を収容し、遮蔽板１１０を回転駆動（移動）可能に支持する。また、本体部１５０内には、図示しないバッテリが収容されており、駆動機構１２０に電力を供給しているが、電力を外部供給としてもよい。
【００３８】
図５は、本実施形態に係る自動ドアの開錠装置の動作を示す図である。自動ドアの開錠装置１００は、自動ドア１の検知エリアＡ内に物体の存在を検知すると自動ドアを開くための作動信号を送信する検知センサ１２を起動させる（反応させる）ための装置であり、自動ドア１の検知センサ１２の近傍に両面テープやネジ止めにより設置される。
【００３９】
そして、図５（ｂ）に示すように、制御部１４０は、開錠指示信号を受信すると駆動機構１２０に遮蔽板１１０を移動するよう指示し、駆動機構１２０が遮蔽板１１０を回転駆動することで、遮蔽板１１０が検知センサ１２の検知エリアＡ内まで移動して検知センサ１２を反応させることで自動ドア１を開錠する。
【００４０】
なお、図４及び図５の説明では、遮蔽板１１０を回転駆動することで、遮蔽板１１０を検知センサ１２の検知エリアＡ内まで移動させているが、図４及び図５を参照して説明した遮蔽板１１０の駆動方式は一例であり、遮蔽板１１０を検知センサ１２の検知エリアＡ内まで移動させて検知センサ１２を反応させることができれば、他の駆動方式でも構わない。例えば、図６に示すように、遮蔽板１１０を平行移動させることで、遮蔽板１１０を検知センサ１２の検知エリアＡ内まで移動するようにしてもよい。
【００４１】
（電子錠２００）
図７は、電子錠２００の使用状態を示す図である。図７に示すように、電子錠２００は、部屋の扉Ｄの室内側に両面テープＤＳＴ等により取り付けられる。電子錠２００は、扉ＤのサムターンＳを回転させることにより扉ＤのデットボルトＤＢを動作させて扉Ｄを施錠又は開錠する。電子錠２００は、サムターンＳのツマミＴを挟持する挟持機構２１０を備えており、この挟持機構２１０を回転動作させることでサムターンＳを回転動作させる。電子錠２００は、無線通信用のアンテナを備え、管理装置３００からの開錠指示信号又は施錠指示信号を無線信号により受信し、この無線受信した開錠指示信号又は施錠指示信号に基づいて扉ＤのサムターンＳを回転させ扉Ｄを開錠又は施錠する。なお、扉Ｄの開錠後にドアノブＤＮを回すとラッチボルトＬＢが扉Ｄ側に収容されて扉Ｄを開くことができる。
【００４２】
（管理装置（サーバ）３００）
図８は、本実施形態に係る管理装置（サーバ）の構成図である。図８に示すように、管理装置３００は、送受信部３１０と、データベース３２０と、認証部３３０と、操作許可部３４０と、予約受付部３５０と、データベース更新部３６０と、制御部３７０とを備える。以下、簡単に各構成について説明するが、各構成の詳細動作については図１０〜図１３を参照して後述する。
【００４３】
送受信部３１０は、ネットワーク５００を介して、自動ドアの開錠装置１００、電子錠２００及びユーザ端末４００とデータを送受信する。具体的には、送受信部３１０は、ユーザ端末４００から送信される開錠指示信号及び認証情報を受信する。また、送受信部３１０は、認証部３３０で認証された場合に、自動ドアの開錠装置１００及び電子錠２００に対し、自動ドア１及び扉Ｓの開錠を指示する開錠指示信号を送信する。
【００４４】
データベース３２０には、自動ドアの開錠装置１００及び電子錠２００を操作可能なユーザＵの認証情報と、ユーザＵが自動ドアの開錠装置１００及び電子錠２００を操作可能な時間帯（利用時間帯）とが関連づけて登録されている。また、データベース３２０には、物件データ及びアカウントデータが記憶されている。
【００４５】
具体的には、以下の表１に示すように、データベース３２０には、建築物のＩＤ（Ｂ−ＩＤ）に、該建築物に設置された自動ドアの開錠装置１００のＩＤ（Ｗ−ＩＤ）、テキストデータ（例えば、建築物名（例：○○レジデンス）、建築物の住所、最寄り駅、最寄り駅からの距離等の案内文）、画像データ（建築物の外観、内装等の写真、地図等）等が関連付けて登録されている。
【００４６】
【表１】
0006044917.tif 000002
【００４７】
また、以下の表２に示すように、各建築物のＩＤ（Ｂ−ＩＤ）には、該建築物の部屋のＩＤ（Ｒ−ＩＤ）、部屋の扉に取り付けられている電子錠２００のＩＤ（Ｎ−ＩＤ）、テキストデータ（例えば、部屋名（例：２０１号室）、部屋の広さ、階数、収容人数、利用料金、ディスクレーム等の案内文）、画像データ（部屋の内装等の写真）等が関連付けて登録されている。
【００４８】
【表２】
0006044917.tif 000003
【００４９】
また、以下の表３に示すように、各部屋のＩＤ（Ｒ−ＩＤ）には、該部屋の予約状況（ユーザＩＤ（Ｕ−ＩＤ）、利用時間帯（利用日、開始時間、終了時間）、設備使用の有無、利用料金）等が関連付けて登録されている。
【００５０】
【表３】
0006044917.tif 000004
【００５１】
なお、設備には、一時利用する部屋が民泊や社宅等の宿泊施設である場合には、寝具、アメニティ（シャンプー類・石けん・歯ブラシ・かみそり・くし・シャワーキャップ・化粧品などの備品）等が該当し、一時利用する部屋が貸会議室である場合には、テーブル、椅子、プロジェクタ等が該当する。
【００５２】
また、表４に示すように、ユーザＩＤ（Ｕ−ＩＤ）には、アカウントデータ、例えば、アカウントＩＤ（Ａ−ＩＤ）、パスワード（ＰＷ）、携帯電話番号、住所、氏名、会社名、メールアドレス、証明書（例えば、免許証、保険証など）の画像データ等のユーザ情報が関連づけて登録されている。なお、個人で登録している場合には、会社名は入力しなくともよい仕様としてもよい。ここで、ユーザ情報は、認証情報として利用される。本実施形態では、アカウントＩＤとパスワード又は携帯電話番号が認証情報として利用される。
【００５３】
【表４】
0006044917.tif 000005
【００５４】
認証部３３０は、ユーザ端末４００から送信される認証情報（ユーザ情報）がデータベース３２０に登録されているかを認証する。また、認証部３３０は、開錠指示信号を受信した受信日時に、認証したユーザが操作可能な（予約している）自動ドアの開錠装置１００及び電子錠２００があるか（存在するか）を認証する。
【００５５】
例えば、ユーザＩＤ（Ｕ−ＩＤ）がＵ００１のユーザの場合、表４にユーザ情報が登録されていることから、認証部３３０は、ユーザ端末４００から送信される認証情報（ユーザ情報）がデータベース３２０に登録されていることを認証する。そして、ユーザＩＤ（Ｕ−ＩＤ）がＵ００１のユーザのユーザ端末４００から開錠指示信号を受信した受信日時に操作可能な電子錠２００が存在するかを表３を参照して認証する。また、認証部３３０は、操作可能な電子錠２００が存在する建築物の自動ドアの開錠装置１００を表２及び表１を参照して認証する。
【００５６】
具体的には、認証部３３０は、表２を参照して、表３の部屋に関連付けれた建築物のＩＤ（Ｂ−ＩＤ）を認識し、さらに表１を参照して、ＩＤ（Ｂ−ＩＤ）に関連付けられた自動ドアの開錠装置１００の自動ドアの開錠装置１００のＩＤ（Ｗ−ＩＤ）を認識することで、認証したユーザが操作可能な（予約している）自動ドアの開錠装置１００及び電子錠２００があるか（存在するか）を認証する。
【００５７】
操作許可部３４０は、ユーザ端末４００送信される認証情報がデータベース３２０に登録されており、操作可能な自動ドアの開錠装置１００及び電子錠２００があることが認証部３２０で認証された場合に、認証情報を送信したユーザ端末４００に対し、操作可能な自動ドアの開錠装置１００及び電子錠２００の操作を許可する。
【００５８】
予約受付部３５０は、部屋の一時利用の予約を受付ける。なおこの予約には、利用する部屋及び一時利用の時間帯（利用時間帯）の情報が含まれている。
【００５９】
データベース更新部３６０は、予約受付部３５０で受付けられた部屋を一時利用する時間帯（利用時間帯）を、自動ドアの開錠装置１００及び電子錠２００を操作可能な時間帯として、ユーザ情報（認証情報）に関連付けてデータベース３２０に登録する。また、制御部３７０は、管理装置（サーバ）３００全体を制御する。
【００６０】
（ユーザ端末４００）
図９は、本実施形態に係るユーザ端末の構成図である。ユーザ端末４００は、例えば、ユーザＵが携帯するスマートフォンや携帯電話（いわゆるガラケー）である。ユーザＵは、ユーザ端末４００を用いて、図１を参照して説明した建築物内の部屋の一時利用を予約する。また、ユーザは、ユーザ端末４００を用いて、予約した建築物のエントランス入口に設けられている自動ドアの開錠装置１００及び予約した建築物内の部屋の扉に設けられている電子錠２００を操作して部屋の一時利用（例えば、会議室、社宅、民泊、内覧（内見）、掃除、設備の補修等）を行う。
【００６１】
図９に示すように、ユーザ端末４００は、送受信部４１０と、記憶部４２０と、表示装置４３０と、入力装置４４０と、制御部４５０と、バッテリ４６０とを備えている。以下、簡単に各構成について説明するが、各構成の詳細動作については図１０〜図１３を参照して後述する。
【００６２】
送受信部４１０は、無線アンテナを有しネットワーク５００を介して、自動ドアの開錠装置１００、電子錠２００及び管理装置（サーバ）３００とデータを送受信する。記憶部４２０には、ユーザ端末４００の固有の識別子である携帯電話番号が記憶されている。ユーザ端末４００が携帯電話（いわゆるガラケー）である場合、この携帯電話番号は、ユーザが、ユーザ端末４００を用いて、図１を参照して説明した建築物内の部屋の一時利用を予約したり、予約した建築物のエントランス入口に設けられている自動ドアの開錠装置１００及び予約した建築物内の部屋の扉Ｄに設けられている電子錠２００を操作する際の認証情報として利用される。
【００６３】
表示装置４３０は、例えば、液晶パネルや有機ＬＥＤパネルであり、ユーザＵが建築物内の部屋の一時利用を予約したり、予約した建築物のエントランス入口に設けられている自動ドアの開錠装置１００及び予約した建築物内の部屋の扉Ｄに設けられている電子錠２００を操作する際に必要な画面が表示されるほか、アカウントの作成や一時利用の予約をする際に必要な画面が表示される。
【００６４】
入力装置４４０は、例えば、タッチパネルや入力キーであり、ユーザＵがアカウントの作成や一時利用の予約をする際に利用されるほか、予約した建築物のエントランス入口に設けられている自動ドアの開錠装置１００及び予約した建築物内の部屋の扉Ｄに設けられている電子錠２００を操作する際に利用される。
【００６５】
制御部４５０は、ユーザ端末４００全体を制御する。バッテリ４６０は、ユーザ端末４００に電力を供給する。
【００６６】
（一時利用管理システムの動作）
図１０は、本実施形態に係る一時利用管理システムのアカウント作成の手順を示すフローチャートである。図１１は、本実施形態に係る一時利用管理システムの予約時の動作を示すフローチャートである。図１２は、本実施形態に係る一時利用管理システムの開錠時の動作を示すフローチャートである。以下、図１〜図１２を参照して、本実施形態に係る一時利用管理システムの動作について説明する。
【００６７】
（アカウント作成）
初めに、図１０を参照してアカウント作成の手順について説明する。ユーザＵは、ユーザ端末４００の入力装置４４０を操作して、一時利用管理システムのアカウント作成のＷＥＢサイトへアクセスする（Ｓ１０１）。ユーザ端末４００の表示装置４３０にアカウント作成のページが表示される（Ｓ１０２）。次に、ユーザＵは、ユーザ端末４００の入力装置４４０を操作してアカウント作成に必要なユーザ情報（例えば、住所、氏名、連絡先、携帯電話番号、メールアドレス）を登録する（Ｓ１０３）。なお、ここで登録するユーザ情報は、認証情報として利用される。
【００６８】
また、ユーザＵは、ユーザ端末４００の入力装置４４０を操作して自身を証明する証明書（例えば、免許証、保険証）の画像をアップロードして登録する（Ｓ１０４）。全ての事項の登録が完了すると、一時利用管理システムの運用者により証明書の確認（本人確認）が行われ、確認が取れるとアカウントＩＤとＰＷ（Password）が発行される（Ｓ１０５）。発行されたアカウントＩＤとＰＷは、Ｓ１０３で登録した連絡先に送信される。なお、このアカウント作成は、ユーザ端末４００以外（例えば、ＰＣ（Personal Computer）やタブレット端末）からも行うことができる。なお、アカウントＩＤとＰＷをユーザが設定できるようにしてもよい。
【００６９】
（一時利用の予約）
次に、図１１を参照して、一時利用管理システムの予約時の動作を説明する。ユーザは、ユーザ端末４００を利用して管理装置３００にアクセスし、ユーザＩＤ及びパスワードを入力してログインする（Ｓ２０１）。ログイン後、管理装置３００の制御部３７０は、データベース３２０に記憶されている部屋の一覧データを端末装置４００に送信するよう送受信部３１０へ指示する。
【００７０】
管理装置３００から送信される部屋の一覧データは、ユーザ端末４００で受信され、表示装置４３０に表示される（Ｓ２０２）。次に、ユーザが入力装置４４０を利用して、部屋の一覧から一時利用する部屋を選択すると（Ｓ２０３）、該選択が送受信部４１０から管理装置３００へと送信される。
【００７１】
管理装置３００の制御部３７０は、部屋が選択されると、選択された部屋の予約状況を示すデータを送信するよう送受信部３１０に指示する。管理装置３００から送信された予約状況は、ユーザ端末４００で受信され、表示装置４３０に表示される（Ｓ２０４）。次に、ユーザが予約状況を確認して、空いている時間帯に一時利用の予約を行うと、送受信部４１０により、部屋を一時利用する時間帯（利用時間帯（利用の日付、開始時間及び終了時間））が管理装置３００へと送信される。
【００７２】
管理装置３００の予約受付部３５０は、ユーザ端末４００から送信される予約指示を受付け（Ｓ２０５）、データベース更新部３６０は、予約受付部３５０で受付けられた部屋を一時利用する時間帯（利用時間帯）を、自動ドアの開錠装置１００及び電子錠２００を操作可能な時間帯として、Ｓ２０１でユーザＩＤ及びパスワードを入力してログインしたユーザのユーザ情報（認証情報）に関連付けてデータベース３２０に登録し、予約内容の登録を完了する（Ｓ２０６）。
【００７３】
なお、この部屋の一時利用の予約は、ユーザ端末４００以外の端末（例えば、ＰＣ（Personal Computer）やタブレット端末）からも行うことができる。
【００７４】
（自動ドア１の開錠）
次に、図１２を参照して、本実施形態に係る一時利用管理システムの開錠時の動作を説明する。ユーザ端末４００がスマートフォン等のブラウザの閲覧機能を備えている場合、ユーザＵは、予約した部屋の建築物まで来場すると、ユーザ端末４００を操作して、ログイン用のＷＥＢサイトにアクセスして、アカウントＩＤ及びパスワードを入力する。入力したアカウントＩＤ及びパスワード（認証情報）は、ユーザ端末４００の送受信部４１０により管理装置３００に送信される（Ｓ３０１）。
【００７５】
また、ユーザ端末４００が携帯電話（いわゆるガラケー）である場合、ユーザＵは、予約した部屋の建築物まで来場すると、ユーザ端末４００を操作して、専用ダイヤルに電話することで、ユーザ端末４００の送受信部４１０により認証情報（携帯電話番号）が管理装置３００に送信される（Ｓ３０１）。
【００７６】
管理装置３００の認証部３３０では、ユーザ端末４００から送信される認証情報がデータベースに記憶されているかを認証する（Ｓ３０２）。次に、認証部３３０は、認証情報を受信した日時に操作可能な自動ドアの開錠装置１００及び電子錠２００がデータベース３２０に登録されているか（存在するか）を認証する（Ｓ３０３）。
【００７７】
認証部３３０で、認証情報及び操作可能な自動ドアの開錠装置１００及び電子錠２００の登録（存在）が認証された場合（Ｓ３０２及びＳ３０３のＹｅｓ）、操作許可部３４０は、認証したユーザＵのユーザ端末４００に対し、自動ドアの開錠装置１００及び電子錠２００の操作を許可する（Ｓ３０４）。また、管理装置３００の送受信部３１０は、Ｓ３０２で認証したユーザが予約している自動ドアの開錠装置１００及び電子錠２００の情報（予約一覧）を認証したユーザ端末４００へ送信する。
【００７８】
ユーザ端末４００では、管理装置３００から送信される操作可能な自動ドアの開錠装置１００及び電子錠２００の情報が表示装置４３０に表示される（Ｓ３０５）。この際、操作許可部３４０により操作が許可されている自動ドアの開錠装置１００及び電子錠２００だけが開錠操作可能な状態で表示装置４３０に表示され、操作許可部３４０により操作が許可されていないその他の予約されている自動ドアの開錠装置１００及び電子錠２００については、操作できない状態で表示、例えば「この鍵はまだ利用できません」と表示装置４３０に表示される。
【００７９】
ユーザＵは、表示された自動ドアの開錠装置１００及び電子錠２００を確認してユーザ端末４００の入力装置４４０を操作し、操作可能な自動ドアの開錠装置１００及び電子錠２００のうち、開錠したい自動ドア１又は扉Ｄの開錠を指示する。すると、管理装置３００の送受信部３１０は、自動ドア１又は扉Ｄの開錠を指示する開錠指示信号を自動ドアの開錠装置１００又は電子錠２００へ送信する（Ｓ３０６）。
【００８０】
自動ドアの開錠装置１００又は電子錠２００は、管理装置３００からの開錠指示信号を受信すると、自動ドア１又は扉Ｄを開錠する（Ｓ３０７）。また、認証部３３０で認証されない場合（Ｓ３０２又はＳ３０３のＮｏ）、エラーが表示される（Ｓ３０８）。
【００８１】
つまり、スマートフォン等、ブラウザ表示が可能なユーザ端末４００を携帯したユーザＵは、一時利用を予約した部屋の建築物のエントランスまで来るとログインを行う。ログインを行うことでユーザＵの認証が行われ、予約した部屋を利用する為に必要な自動ドアの開錠装置１００及び電子錠２００の情報が管理装置３００からユーザ端末４００に送信される。ユーザＵは、ユーザ端末４００に表示された自動ドアの開錠装置１００を指定して開錠操作を指示し、エントランスの自動ドア１が開錠される。
【００８２】
次に、ユーザＵは、一時利用する部屋の前まで行き、電子錠２００を指定して開錠操作を指示することで、一時利用を予約した部屋の扉Ｄを開錠して、部屋を一時利用することができる。なお、エントランスの自動ドア１が開錠された後、一度、ログオフをし、一時利用する部屋の前まで行った後、再度、ログインを行い、電子錠２００を指定して開錠操作を指示することで、一時利用を予約した部屋の扉Ｄを開錠するようにしてもよい。
【００８３】
また、携帯電話（いわゆるガラケー）のユーザ端末４００を携帯したユーザＵは、予約した部屋の建築物まで来場すると、専用ダイヤルに電話することで、携帯電話番号による認証が行われる。該認証後、利用可能な自動ドアの開錠装置１００及び電子錠２００の情報が音声により通知されるので、ユーザＵは、ユーザ端末４００を操作して自動ドアの開錠装置１００を指定して開錠操作を指示し、エントランスの自動ドア１が開錠される。
【００８４】
次に、ユーザＵは、一時利用する部屋の前まで行き、再度、専用ダイヤルに電話することで、携帯電話番号による認証が行われ、利用可能な自動ドアの開錠装置１００及び電子錠２００の情報が音声により通知されるので、ユーザＵは、ユーザ端末４００を操作して電子錠２００を指定して開錠操作を指示することで、一時利用を予約した部屋の扉Ｄを開錠して、部屋を一時利用することができる。なお、エントランスの自動ドア１が開錠された後、通話状態を維持したまま、一時利用する部屋の前まで行った後、電子錠２００を指定して開錠操作を指示することで、一時利用を予約した部屋の扉Ｄを開錠するようにしてもよい。
【００８５】
なお、上記説明では、建築物の部屋の一時利用の予約を行うと、自動ドアの開錠装置１００及び電子錠２００の操作が可能となる形態について説明しているが、部屋には入らずに建築物のメンテナンス（例えば、掃除、設備の補修等）だけを行う場合には、建築物の予約を行うと自動ドアの開錠装置１００だけが操作可能となり、電子錠２００については操作できない形態としてもよい。
【００８６】
この場合、管理装置（サーバ）３００のデータベース３２０には、以下の表５に示すように、各建築物のＩＤ（Ｂ−ＩＤ）に、予約状況（ユーザＩＤ（Ｕ−ＩＤ）、利用時間帯（利用日、開始時間、終了時間））が関連付けて登録され、該情報に基づいて認証部３３０にて認証が行われる。
【００８７】
【表５】
0006044917.tif 000006
【００８８】
また、上記説明では、建築物のエントランス入口で認証を行い、自動ドアの開錠装置１００を操作して自動ドアを開錠した後、一時利用する部屋まで行き、再度認証を行い、電子錠２００を操作して扉Ｄを開錠しているが、建築物のエントランス入口で認証を行った際に、操作可能な自動ドアの開錠装置１００及び電子錠２００を表示し、再度の認証を行うことなく、自動ドアの開錠装置１００及び電子錠２００を操作できるようにしてもよい。
【００８９】
以上のように、上記実施形態に係る自動ドアの開錠装置１００は、検知エリアＡ内に物体の存在を検知すると自動ドア１を開くための作動信号を送信する検知センサ１２を起動させる（反応させる）自動ドアの開錠装置１００であって、検知センサ１２の検知エリアＡ内まで移動する遮蔽板１１０と、遮蔽板１１０を支持し、遮蔽板１１０を移動するための駆動機構１２０を有する本体部１５０と、自動ドア１の開錠を指示する開錠指示信号を受信すると、駆動機構１２に遮蔽板１１０を移動するよう指示する制御部１４０とを備えている。
【００９０】
すなわち、検知エリアＡ内に物体の存在を検知すると自動ドア１を開くための作動信号を送信する検知センサ１２の検知エリアＡ内まで移動する遮蔽板１１０を備え、自動ドア１の開錠を指示する開錠指示信号を受信すると、駆動機構１２０により遮蔽板１１０を移動するように構成したので、マンションやアパート、ビル等の建築物のエントランス入口に設けられ、セキュリティのために外側から開くことのできない自動ドア１を外側から開くことができる。このため、マンションやアパート、ビル等の建築物内の部屋を一時利用（例えば、会議室、社宅、民泊、内覧（内見）等による一時利用）する際にユーザＵの利便性が非常に高い。また、マンションやアパート、ビル等の建築物のメンテナンス（例えば、掃除、設備の補修等）の際に業者が建築物内に入る際にも利用することができるため利便性が高い。
【００９１】
また、上記実施形態に係る自動ドアの開錠装置１００は、無線通信機能を有し、開錠指示信号は無線により送信される。すなわち、本実施形態では、無線により自動ドアを開くことができるので、ＬＡＮケーブル等を接続する必要がなく、自動ドアの開錠装置を自動ドアの検知センサの近くに両面テープによる接着やネジ止めにより設置するだけでよい。このため、施工性に優れる。また、バッテリ駆動としたので電源用ケーブルを接続する必要がなく、さらに施工性に優れる。
【００９２】
また、上記実施形態に係る自動ドアの開錠システムは、自動ドアの開錠装置１００と、認証情報及び自動ドアの開錠装置１００の開錠指示信号を送信するユーザ端末４００と、自動ドアの開錠装置１００を操作可能なユーザの認証情報が登録されているデータベース３２０と、ユーザ端末４００から送信される認証情報がデータベースに３２０登録されているかを認証する認証部３３０と、認証部３３０で認証された場合に、認証したユーザ端末４００に対し、自動ドアの開錠装置１００の操作を許可する操作許可部３４０とを有する管理装置３００とを備えることを特徴とする。
【００９３】
すなわち、自動ドアの開錠装置１００を操作できるユーザＵを認証し、認証されたユーザＵにのみ自動ドアの開錠装置１００の操作を許可するので、マンションやアパート、ビル等の建築物内の部屋の一時利用者（例えば、会議室、社宅、民泊、内覧（内見）等による一時利用）や、建築物のメンテナンス（例えば、掃除、設備の補修等）業者にのみ自動ドアの開錠装置１００の操作を許可することができセキュリティ性が向上する。
【００９４】
また、上記実施形態に係る自動ドアの開錠システムのデータベース３２０には、自動ドアの開錠装置１００を操作可能な時間帯が認証情報に関連づけて登録され、認証部３３０は、認証情報を受信した受信日時に操作可能な自動ドアの開錠装置１００があるかを認証する。
【００９５】
すなわち、自動ドアの開錠装置１００を操作できるユーザＵを認証することに加え、自動ドアの開錠装置１００を操作できる時間帯についても認証するようにしたので、マンションやアパート、ビル等の建築物内の部屋を一時利用（例えば、会議室、社宅、民泊、内覧（内見）等による一時利用）する時間帯や、建築物のメンテナンス（例えば、掃除、設備の補修等）の時間帯にのみ自動ドアの開錠装置の操作を許可することでセキュリティ性がさらに向上する。
【００９６】
また、上記実施形態に係る自動ドアの開錠システムは、自動ドアの操作予約を受付ける予約受付部３５０と、予約受付部３５０で受付けられた自動ドアを操作する時間帯を、自動ドアの開錠装置１００を操作可能な時間帯として認証情報に関連付けて、データベース３２０に登録するデータベース更新部３６０とを備えている。
【００９７】
すなわち、自動ドアの開錠装置１００を操作できる時間帯を予約できるようにしたので、マンションやアパート、ビル等の建築物内の部屋を一時利用（例えば、会議室、社宅、民泊、内覧（内見）等による一時利用）する時間帯や建築物のメンテナンス（例えば、掃除、設備の補修等）の時間帯を予約しておき、実際に使用する際に自動ドアの開錠装置１００を操作することができるのでユーザＵの利便性がさらに向上する。
【００９８】
また、上記実施形態に係る一時利用管理システムは、エントランス入口に自動ドアが設けられた建築物の部屋の一時利用を管理する一時利用管理システムであり、自動ドアの開錠装置１００と、建築物の部屋の扉Ｄに設けられ、開錠指示信号を受信すると扉Ｄを開錠する電子錠２００と、認証情報と、自動ドアの開錠装置１００及び電子錠２００の開錠指示信号を送信するユーザ端末４００と、自動ドアの開錠装置１００及び電子錠２００を操作可能なユーザＵの認証情報が登録されているデータベース３２０と、ユーザ端末４００から送信される認証情報がデータベース３２０に登録されているかを認証する認証部３３０と、認証部３３０で認証された場合に、認証したユーザ端末４００に対し、自動ドアの開錠装置１００及び電子錠２００の操作を許可する操作許可部３４０とを有する管理装置３００とを備えている。
【００９９】
すなわち、エントランス入口に自動ドア１が設けられた建築物の部屋を一時利用する際に、エントランス入口の自動ドア１及び一時利用する部屋の扉Ｄをユーザ端末４００から開錠することができるので利便性が高い。また、認証されたユーザＵにのみ自動ドアの開錠装置１００及び電子錠２００の操作を許可しているのでセキュリティ性が高い。さらに、鍵を受け渡しする必要性がないためユーザＵの利便性がさらに向上するとともに、鍵を複製される虞もないためセキュリティ性がさらに向上する。
【０１００】
また、上記実施形態に係る一時利用管理システムのデータベース３２０には、自動ドアの開錠装置１００及び電子錠２００を操作可能な時間帯が認証情報に関連づけて登録され、認証部３３０は、認証情報を受信した受信日時に操作可能な自動ドアの開錠装置１００及び電子錠２００があるかを認証する。
【０１０１】
すなわち、自動ドアの開錠装置１００及び電子錠２００を操作できるユーザＵを認証することに加え、自動ドアの開錠装置１００及び電子錠２００を操作できる時間帯についても認証するようにしたので、マンションやアパート、ビル等の建築物内の部屋を一時利用（例えば、会議室、社宅、民泊、内覧（内見）等による一時利用）する時間帯や、建築物のメンテナンス（例えば、掃除、設備の補修等）の時間帯にのみ自動ドアの開錠装置及び電子錠の操作を許可することでセキュリティ性がさらに向上する。
【０１０２】
また、上記実施形態に係る一時利用管理システムは、部屋の一時利用の予約を受付ける予約受付部３５０と、予約受付部３５０で受付けられた部屋を一時利用する時間帯を、自動ドアの開錠装置１００及び電子錠２００を操作可能な時間帯として、認証情報に関連付けてデータベース３２０に登録するデータベース更新部３６０とを備えている。
【０１０３】
すなわち、自動ドアの開錠装置１００及び電子錠２００を操作できる時間帯を予約できるようにしたので、マンションやアパート、ビル等の建築物内の部屋を一時利用（例えば、会議室、社宅、民泊、内覧（内見）等による一時利用）する時間帯や建築物のメンテナンス（例えば、掃除、設備の補修等）の時間帯を予約しておき、実際に使用する際に自動ドアの開錠装置１００及び電子錠２００を操作することができるのでユーザＵの利便性がさらに向上する。また、部屋の一時利用の予約を行うと、受付けた利用時間帯において自動ドアの開錠装置１００に対しても操作を許可する。このため、部屋の一時利用を行うだけで、エントランス入口の自動ドアの開錠装置１００及び電子錠２００の両方を操作することができるようになり、エントランス入口の自動ドアの開錠装置１００と、電子錠２００との予約を別々に行う必要がないためユーザＵの利便性がさらに向上する。
【産業上の利用可能性】
【０１０４】
以上で説明したように、本発明は、マンションやアパート、ビル等の建築物のエントランス入口に設けられ、セキュリティのために外側から開くことのできない自動ドアを外側から開くことができる。このため、マンションやアパート、ビル等の建築物や建築物内の部屋を一時利用（例えば、会議室、社宅、民泊、内覧（内見）等による一時利用）する際に利用することができる。
【符号の説明】
【０１０５】
１  自動ドア
２  呼出機
１１  ドアオペレータ
１２  検知センサ
１３  ランマ
１４  無目
１５  ドア
１６  フィックス
１７  ガイドレール
１００  自動ドアの開錠装置
１１０  遮蔽板
１２０  駆動機構
１３０  送受信部
１４０  制御部
１５０  本体部
２００  電子錠
３００  管理装置（サーバ）
３１０  送受信部
３２０  データベース
３３０  認証部
３４０  操作許可部
３５０  予約受付部
３６０  データベース更新部
３７０  制御部
４００  ユーザ端末
４１０  送受信部
４２０  記憶部
４３０  表示装置
４４０  入力装置
４５０  制御部
４６０  バッテリ
５００  ネットワーク
Ａ  検知エリア
Ｄ  扉
Ｓ  サムターン
Ｔ  ツマミ
【要約】
【課題】マンションやアパート、ビル等の建築物のエントランス入口に設けられた自動ドアを遠隔操作により開くことができる自動ドアの開錠装置、自動ドアの開錠システム及び一時利用管理システムを提供すること。
【解決手段】検知エリア内に物体の存在を検知すると自動ドアを開くための作動信号を送信する検知センサを起動させる自動ドアの開錠装置であって、前記検知センサの検知エリア内まで移動する遮蔽板と、前記遮蔽板を支持し、前記遮蔽板を移動するための駆動機構を有する本体部と、前記自動ドアの開錠を指示する開錠指示信号を受信すると、前記駆動機構に前記遮蔽板を移動するよう指示する制御部とを備えることを特徴とする自動ドアの開錠装置。
【選択図】図１【図１】
0006044917.tif 000007
【図２】
0006044917.tif 000008
【図３】
0006044917.tif 000009
【図４】
0006044917.tif 000010
【図５】
0006044917.tif 000011
【図６】
0006044917.tif 000012
【図７】
0006044917.tif 000013
【図８】
0006044917.tif 000014
【図９】
0006044917.tif 000015
【図１０】
0006044917.tif 000016
【図１１】
0006044917.tif 000017
【図１２】
0006044917.tif 000018